(57)【特許請求の範囲】
【請求項１】
パーソナルケア製品システムであって、
スタンド（１５０）と、
前記スタンド（１５０）内に位置付けられた第１のスタンド永久ドッキング磁石（１５８）と、
前記スタンド（１５０）内に位置付けられたスタンド誘導充電コイル（１６６）と、
前記スタンド（１５０）に着脱可能に装着されたハンドル（１０２）と、
前記ハンドル（１０２）内に位置付けられた充電式電池（１１９）と、
前記ハンドル（１０２）内に位置付けられ、前記第１のスタンド永久ドッキング磁石（１５８）に近接して配置されたときに、前記ハンドル（１０２）を前記スタンド（１５０）に保持するのに十分な吸引力を生成するように構成された、第１のハンドル永久ドッキング磁石（１１８）と、
前記ハンドル（１０２）内に位置付けられたハンドル誘導充電コイル（１１２）であって、前記スタンド誘導充電コイル（１６６）が、磁界を生成するように構成され、該磁界が、前記ハンドル誘導充電コイル（１１２）を貫通して、前記充電式電池（１１９）を充電する、ハンドル誘導充電コイル（１１２）と、
前記第１のハンドル永久ドッキング磁石（１１８）の表面（１８１）にごく近接したハンドル磁束案内部材（１２４）と、を備え、
前記ハンドル（１０２）内に位置付けられた第２のハンドル永久ドッキング磁石（１３２）を更に備え、前記ハンドル磁束案内部材（１２４）が、前記第１のハンドル永久ドッキング磁石（１１８）と前記第２のハンドル永久ドッキング磁石（１３２）とを接続し、
前記スタンド（１５０）内に位置付けられた第２のスタンド永久ドッキング磁石（１６０）と、スタンド磁束案内部材（１６４）と、を更に備え、前記スタンド磁束案内部材（１６４）が、前記第１のスタンド永久ドッキング磁石（１５８）と前記第２のスタンド永久ドッキング磁石（１６０）とを接続し、
前記スタンド誘導充電コイル（１６６）内に位置付けられた第１の脚部（１６１）を有する第２のスタンド磁束案内部材（１６２、２６２、３６２）を更に備え、前記第１のスタンド永久ドッキング磁石（１５８）の外面（１５３）及び前記第１の脚部（１６１）の外側面が、互いの７ｍｍ（ｄ８）以内に位置付けられる、パーソナルケア製品システム。
【請求項２】
前記ハンドル誘導充電コイル（１１２）内に位置付けられた第１の脚部（１１７）を有する第２のハンドル磁束案内部材（１１４、２１４、３１４、４１４）を更に備え、前記第１のハンドル永久ドッキング磁石（１１８）の外面（１３９）及び前記第１の脚部（１１７）の外側面が、互いの６ｍｍ（ｄ２）以内に位置付けられる、請求項１に記載のパーソナルケア製品システム。
【請求項３】
前記第２のハンドル永久ドッキング磁石（１３２）の外面（１３５）及び第１の脚部（１１７）の外側面が、互いの３ｍｍ（ｄ１）以内に位置付けられる、請求項１に記載のパーソナルケア製品システム。
【請求項４】
前記第２のスタンド永久ドッキング磁石（１６０）の外面（１６０）及び第１の脚部（１６１）の外側面が、互いの３ｍｍ（ｄ５）以内に位置付けられる、請求項１に記載のパーソナルケア製品システム。
【請求項５】
前記ハンドル磁束案内部材（１２４）が、Ｌ字形状の断面を有する、請求項１〜４のいずれか一項に記載のパーソナルケア製品システム。
【請求項６】
前記ハンドル（１０２）が、外側接触面（１３８）と、対向する内面（１２６）と、を有し、前記スタンド（１５０）が、外側接触面（１７６）と、対向する内面（１７２）と、を有し、前記ハンドル（１０２）が前記スタンド（１５０）に保持されているときに、前記スタンド（１５０）の前記外側接触面（１７６）と前記ハンドル（１０２）の前記外側接触面（１３８）とが直接接触している、請求項１〜５のいずれか一項に記載のパーソナルケア製品システム。
【請求項７】
前記第１のハンドル永久ドッキング磁石（１１８）が、前記ハンドル（１０２）の前記内面（１２６）に直接接触し、前記第１のスタンド永久ドッキング磁石（１５８）が、前記スタンド（１５０）の前記内面（１７２）に直接接触する、請求項６に記載のパーソナルケア製品システム。
【請求項８】
前記第１のハンドル永久ドッキング磁石（１５８）が、前記ハンドル（１０２）の前記内面（１２６）に直接接触する角度付き端面を有する、請求項７に記載のパーソナルケア製品システム。
【請求項９】
前記第１のスタンド永久ドッキング磁石（１５８）が、前記スタンド（１５０）の前記内面（１７２）に直接接触する角度付き端面を有する、請求項７又は８に記載のパーソナルケア製品システム。
【請求項１０】
前記ハンドル（１０２）が、前記第１のハンドル永久ドッキング磁石（１１８）を前記ハンドル（１０２）の前記内面（１２６）に押し付けるばね部材（１２８）を有する、請求項６〜９のいずれか一項に記載のパーソナルケア製品システム。
【請求項１１】
前記ハンドル誘導充電コイル（１１２）が、前記スタンド誘導充電コイル（１６６）の中心軸と略軸方向に整列される中心軸を有する、請求項１〜１０のいずれか一項に記載のパーソナルケア製品システム。
【請求項１２】
前記ハンドル磁束案内部材（１２４）が、バーである、請求項１〜１１のいずれか一項に記載のパーソナルケア製品システム。
【発明の詳細な説明】
【技術分野】
【０００１】
本開示は、パーソナルケア製品のためのドッキング及び充電システムを提供する。
【背景技術】
【０００２】
パーソナルケア製品としては、他のタイプのグルーミング及び衛生関連用具の中でも、乾式シェービングカミソリ及び湿式シェービングカミソリが挙げられる。いくつかのパーソナルケア製品は、電池などの内蔵の再充電可能な電源から電力を受信する、流体ポンプ、モータ、センサ、振動又は発振構成要素、加熱要素などの、電動要素を含む。再充電可能な電源を有するパーソナルケア製品の場合、パーソナルケア製品は、典型的に、再充電可能な電源を補充することができるように、使用の合間に電力供給部に接続される。
【０００３】
再充電可能な電源を有するパーソナルケア製品は、典型的に製品の内部に位置付けられた、充電コイル、装着クリップ、リード線などの種々の構成要素を含むことができる、充電モジュールを有する。種々のタイプのパーソナルケア製品のフォームファクタ及び他の物理的限界のため、このような構成要素を位置付けるために利用可能な内部空間が極めて限られる場合がある。このように、充電構成要素を収容するために、パーソナルケア製品のサイズは、内部空間を拡張するために不所望に増大される場合があり、又は充電モジュールの構成要素は、比較的望ましくない場所に内部に位置付けることが必要になり得る。
【０００４】
更に、いくつかのパーソナルケア製品は、パーソナルケア製品を通電スタンドに選択的に結合させるために磁石を利用する。そのような構成において、第１のドッキング磁石は、パーソナルケア製品に結合させることができ、第２のドッキング磁石は、通電スタンドに結合させることができる。パーソナルケア製品を通電スタンドと接触させると、ドッキング磁石の磁界は、パーソナルケア製品を適所に保持することができる。しかしながら、上で説明したように、ドッキング磁石を位置付けるために利用可能な内部空間は、ドッキング磁石の配置場所を不所望に制限する場合がある。更に、同じく誘導充電システムを利用するパーソナルケア製品の場合、ドッキング磁石によって生成された磁界は、誘導充電システムの有効性を低下させる場合がある。ドッキング磁石の磁界からの望ましくない干渉を軽減するために、誘導充電システムのドッキング磁石と種々の構成要素との間の距離を増加させることができる。しかしながら、この距離を増加させることは、どのようにパーソナルケア製品を通電スタンドにドッキングすることができるのかに関する選択肢を制限する場合があり、又は別様に、パーソナルケア製品の設計又は動作に不所望に影響を与える場合がある。
【発明の概要】
【発明が解決しようとする課題】
【０００５】
したがって、これらの問題のうちの１つ以上に対処するパーソナルケア製品ドッキング及び充電システムを提供することが有利であろう。実際に、比較的小さいフォームファクタも維持しながら、誘導充電システムを内部に収容することができるパーソナルケア製品を提供することが有利であろう。また、所望のフォームファクタを維持しながら、内部充電モジュールを内部に収容することができる通電スタンドを提供することも有利であろう。パーソナルケア製品内の充電モジュール、及びドッキング磁石に比較的接近して位置付けられた構成要素を有する通電スタンドを提供することが更に有利であろう。ドッキング磁石の磁界が誘導充電システムの有効性に比較的最小の影響を及ぼすパーソナルケア製品ドッキングシステムを提供することが更に有利であろう。また、パーソナルケア製品の充電モジュールと通電スタンドの充電モジュールとの適切な位置合わせを容易にすることによって誘導充電システムの効率を改善する、パーソナルケア製品ドッキング及び充電システムを提供することも有利であろう。
【課題を解決するための手段】
【０００６】
本開示は、１つの実施形態において、スタンドと、スタンド内に位置付けられた第１のスタンド永久ドッキング磁石と、スタンド内に位置付けられたスタンド誘導充電コイルと、を備える、パーソナルケア製品システムを提供することによって、上で説明した必要性を満たす。パーソナルケア製品システムは、スタンドに着脱可能に装着されたハンドルと、ハンドル内に位置付けられた充電式電池と、を更に備える。第１のハンドル永久ドッキング磁石は、ハンドル内に位置付けられ、第１のスタンド永久ドッキング磁石に近接して配置されたときに、ハンドルをスタンドに保持するのに十分な吸引力を生成するように構成される。ハンドル誘導充電コイルは、ハンドル内に位置付けられる。スタンド誘導充電コイルは、磁界を生成するように構成され、該磁界は、ハンドル誘導充電コイルに近接して配置されたときに、ハンドル誘導充電コイルを貫通して、充電式電池を充電する。パーソナルケア製品システムは、ハンドル誘導充電コイル内に位置付けられた少なくとも一部分を有するハンドル磁束案内部材と、スタンド誘導充電コイル内に位置付けられた少なくとも一部分を有するスタンド磁束案内部材と、を更に備える。
【０００７】
別の実施形態において、パーソナルケア製品システムは、スタンドと、スタンド内に位置付けられた第１のスタンド永久ドッキング磁石と、スタンド内に位置付けられたスタンド誘導充電コイルと、を備える。ハンドルは、スタンドに着脱可能に装着される。充電式電池は、ハンドル内に位置付けられる。第１のハンドル永久ドッキング磁石はまた、ハンドル内に位置付けられ、第１のスタンド永久ドッキング磁石に近接して配置されたときに、ハンドルをスタンドに保持するのに十分な吸引力を生成するように構成される。ハンドル誘導充電コイルは、ハンドル内に位置付けられる。スタンド誘導充電コイルは、磁界を生成するように構成され、該磁界は、ハンドル誘導充電コイルを貫通して、充電式電池を充電する。パーソナルケア製品システムはまた、第１のハンドル永久ドッキング磁石の表面にごく近接したハンドル磁束案内部材も備える。
【０００８】
更に別の実施形態において、パーソナルケア製品システムは、スタンドを備える。第１のスタンド永久ドッキング磁石は、スタンド内に位置付けられ、スタンド誘導充電コイルは、スタンド内に位置付けられる。ハンドルは、スタンドに着脱可能に装着され、充電式電池は、ハンドル内に位置付けられる。パーソナルケア製品システムは、ハンドル内に位置付けられ、第１のスタンド永久ドッキング磁石に近接して配置されたときに、ハンドルをスタンドに保持するのに十分な吸引力を生成するように構成された第１のハンドル永久ドッキング磁石を更に備える。ハンドル誘導充電コイルは、ハンドル内に位置付けられる。スタンド誘導充電コイルは、磁界を生成するように構成され、該磁界は、ハンドル誘導充電コイルを貫通して、充電式電池を充電する。パーソナルケア製品システムは、ハンドル誘導充電コイル内に位置付けられた少なくとも一部分を有する第１のハンドル磁束案内部材を更に備える。パーソナルケア製品システムは、第１のハンドル永久ドッキング磁石の表面にごく近接した第２のハンドル磁束案内部材を更に備える。パーソナルケア製品システムは、スタンド誘導充電コイル内に位置付けられた少なくとも一部分を有する第１のスタンド磁束案内部材を更に備える。
【図面の簡単な説明】
【０００９】
本開示の上述の特徴及び利点並びに他の特徴及び利点、またそれらを実現する方法は、本開示の非限定的実施形態の以下の説明を、添付図面と併せて参照することによってより明白となり、本開示自体がより良好に理解されるであろう。
【図１】本開示の１つの非限定的実施形態による、例示的なパーソナルケア製品システムの側面図である。
【図２】ハンドルの等角図である。
【図３】例示を明瞭にするために種々の構成要素を取り除いた、スタンドとドッキングされるハンドルの第１の端部分の部分切り欠き図である。
【図４】ハンドルの第１の端部分の部分切り欠き図である。
【図５】例示を明瞭にするために種々の構成要素を取り除いた、ハンドルのドッキング磁石及び充電モジュールの等角図である。
【図６】１つの非限定的な例示的なスタンドの等角図である。
【図７】図６に示されるスタンドの部分切り欠き図である。
【図８】例示を明瞭にするために種々の構成要素を取り除いた、ドッキング磁石及びスタンド誘導充電コイルの等角図である。
【図９】１つの実施形態による、ハンドルの第１のドッキング磁石、第２のドッキング磁石、ハンドル誘導充電コイル、及び第１のハンドル磁束案内部材を図式的に表す端面図である。
【図１０】１つの実施形態による、スタンドの第１のドッキング磁石、第２のドッキング磁石、スタンド誘導充電コイル、及びスタンドハンドル磁束案内部材を図式的に表す端面図である。
【図１１】ハンドルの充電モジュール及びスタンドの充電モジュールの例示的な構成要素の等角図である。
【図１２】別の、ハンドルの充電モジュール及びスタンドの充電モジュールの例示的な構成要素の等角図である。
【図１３】更に別の、ハンドルの充電モジュール及びスタンドの充電モジュールの例示的な構成要素の等角図である。
【図１４】別の例示的なハンドルの充電モジュールの構成要素の等角図である。
【００１０】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【００１１】
本発明の他の特徴及び利点は、以下の詳細な説明及び特許請求の範囲から明らかとなるであろう。
【発明を実施するための形態】
【００１２】
本開示は、ハンドルと、使用していないときにハンドルをドッキングさせて充電するためのスタンドと、を有する、パーソナルケア製品システムを提供する。ここで、パーソナルケア製品システムの機能、設計、及び動作の原理についての総合的な理解を得るために、本開示の種々の非限定的実施形態について説明する。これらの非限定的実施形態のうちの１つ以上の例を添付図面に示す。当業者であれば、本明細書で説明され、かつ添付図面に示される方法が非限定的実施形態例であり、本開示の様々な非限定的実施形態の範囲は、特許請求の範囲によってのみ定義されることが理解されるであろう。ある非限定的実施形態に関連して示されるか又は述べられる特徴は、他の非限定的実施形態の特徴と組み合わせてもよい。そのような修正及び変形は、本開示の範囲内に含まれるものとする。
【００１３】
ここで、図１を参照すると、本開示の１つの非限定的実施形態による、例示的なパーソナルケア製品システム１００の側面図が表されている。図２は、ハンドル１０２の等角図を表す。図１〜図２を参照すると、パーソナルケア製品システム１００は、スタンド１５０とドッキングされるハンドル１０２を備える。ハンドル１０２は、電動構成要素を有する再充電可能な湿式カミソリとして示されているが、このような描写は、例示目的にすぎない。スタンド１５０にドッキングさせることができる個人消費者製品の他の例としては、限定されないが、乾式カミソリ、脱毛器又は他の毛髪切断及び／又は脱毛家庭用装置、トリマー、パーソナルグルーマー、歯ブラシ、除毛装置などを挙げることができる。更に、ブレード１２３（図２）を有するシェービングカミソリカートリッジ１２２が、ハンドル１０２の第２の端部分１１１の遠位端部に結合されているように表されているが、他の実施形態において、ハンドル１０２は、追加的又は代替的に、有孔シェービングフォイル、回転カッター、発振カッター、トリマー、などの、他のタイプのグルーミング装置を含むことができる。故に、表されるシェービングカミソリカートリッジ１２２が第２の端部分１１１に結合された状態のハンドル１０２は、例示目的にすぎず、本開示を、ハンドル１０２、パーソナルケア製品システム１００、又はシェービングカミソリカートリッジ１２２の任意の特定の構成に限定することを意図するものではない。ハンドル１０２は、流体ポンプ、モータ、センサ、振動若しくは発振構成要素、加熱要素などの、１つ以上の電動要素を含むことができる。本明細書で使用するとき、ハンドル１０２という用語は、シェービングカミソリカートリッジ１２２などの任意の取り付け可能な構成要素を含む、スタンド１５０内に格納することができるパーソナルグルーミング装置を指す。更に、ハンドル１０２は、略円筒形の細長い把持部分１０４を有するように示されているが、本開示は、そのように限定されない。代わりに、細長い把持部分１０４は、任意の適切な形状、サイズ、又は構成とすることができ、パーソナルケア製品の使用中にユーザによって取り扱われるハンドル１０２の一部分である。シェービングカミソリカートリッジ１２２（又は他のタイプの取り付け若しくは固定用具）は、全体的な所望のコスト及び性能に応じて、固定的又は枢動可能にハンドル１０２に装着することができる。シェービングカミソリカートリッジ１２２は、ハンドル１０２に、永続的に取り付けること、又は着脱可能に装着することができる。シェービングカミソリカートリッジ１２２は、１つ以上のブレード１２３、又は他の切断器具を含むことができる。
【００１４】
ハンドル１０２は、図１においてドッキング位置に示され、ハンドル１０２の第１の端部分１１０の少なくとも一部分が、スタンド１５０内で受容されている。ドッキング位置にある間、ハンドル１０２の第１の端部分１１０における外面接触領域１３８（図２）だけがスタンド１５０と接触し、ハンドル１０２の残部は、スタンド１５０の基部１９４又は他のタイプの物理的支持体に接触することなく懸架される。下でより詳細に説明されるように、スタンド１５０は、スタンドドッキングシステム１４９を含むことができ、ハンドル１０２は、ハンドルドッキングシステム１４７を含むことができる。スタンドドッキングシステム１４９及びハンドルドッキングシステム１４７の一方又は両方は、１つ以上のドッキング磁石を含むことができる。ドッキング位置にある間、ユーザがハンドル１０２をスタンド１５０から持ち上げることによってスタンド１５０からハンドル１０２を取り外すまで、ハンドル１０２をドッキング位置に維持するために、スタンドドッキングシステム１４９は、ハンドルドッキングシステム１４７に磁気的に結合させることができる。
【００１５】
スタンド１５０は、基部１９４と、壁面コンセントなどの電源に差し込むことができる電源プラグ１９２と、を含むことができる。スタンド１５０は、スタンド充電モジュール１４８を備える誘導充電システムを更に含むことができる。スタンド充電モジュール１４８は、スタンド１５０が電源に接続され、ハンドル１０２がスタンド１５０にドッキングされたときに、ハンドル１０２のハンドル充電モジュール１４６に電力を誘導的に送達することができる。図１では電源プラグ１９２が従来の壁面プラグであるように示されているが、他の構成では、例えば、ＵＳＢ充電器などの、異なる電源プラグ構成を使用することができる。更に他の実施形態において、スタンド１５０は、電力を貯蔵し、次いで、ハンドル１０２がスタンドとドッキングされたときに該ハンドルを充電するように構成される、再充電可能な電源を備える。ハンドル１０２は、ハンドル充電モジュール１４６と電気通信し、加熱要素、モータ、振動素子、又は電気によって駆動される他のタイプの要素などの、内蔵電動要素のうちの１つ以上に電力を供給する電源１１９（図３）を保持することができる。電源１１９は、使用していない間にハンドル１０２をスタンド１５０にドッキングさせている間、誘導充電を通して再充電される、充電式電池又は他の蓄電器とすることができる。
【００１６】
図３は、例示を明瞭にするために種々の構成要素を取り除いた、図１に示されるようにスタンド１５０とドッキングしたハンドル１０２の第１の端部分１１０の部分切り欠き図である。ハンドル１０２のハンドルドッキングシステム１４７は、ドッキング磁石１１８、１３２を含むように示される。スタンド１５０のスタンドドッキングシステム１４９は、ドッキング磁石１５８、１６０を含むように示される。ドッキング磁石の数及び形状は、変動させることができるが、例示される構成において、ハンドル１０２は、第２のドッキング磁石１３２のそばに位置付けられる第１のドッキング磁石１１８を有し、該磁石はどちらも、実質的に円筒形とすることができる。同様に、スタンド１５０は、第２のドッキング磁石１６０のそばに位置付けられた第１のドッキング磁石１５８を有し、該磁石はどちらも、実質的に円筒形であり、スタンド１５０によって画定された空洞１５２内に装着される。
【００１７】
ハンドル１０２がドッキングされているときに、外面接触領域１３８は、外側接触面１７６（図１）と接触して配置され、よって、ハンドル１０２のドッキング磁石１１８、１３２は、スタンド１５０のドッキング磁石１５８、１６０に近接して位置付けられ、それらと略整列される。この位置になると、ドッキング磁石間の磁力は、ハンドル１０２に作用する重力に打ち勝つように、スタンド１５０に対するハンドル１０２の位置を維持する。ハンドル１０２のドッキング磁石１１８、１３２をスタンド１５０のドッキング磁石１５８、１６０に整列させることで、ハンドル１０２とスタンド１５０との間に磁気吸引の強さを有益に増加させることができる。ハンドル１０２は、ユーザがハンドル１０２をスタンド１５０から持ち上げるまで、この位置を維持することができる。
【００１８】
ハンドル１０２のハンドル充電モジュール１４６は、ハンドル１０２がスタンド１５０にドッキングされたときに、スタンド充電モジュール１４８から電力を受信するように構成される。ハンドル充電モジュール１４６は、スタンド充電モジュール１４８から受信した電力を使用して、ハンドル１０２の電源１１９を再充電することができる。例示される構成において、ハンドル充電モジュール１４６及びスタンド充電モジュール１４８の各々は、誘導充電を促進する少なくとも１つのコイルを備える。例示される構成において、スタンド充電モジュール１４８は、スタンド誘導充電コイル１６６を有し、ハンドル充電モジュール１４６は、ハンドル誘導充電コイル１１２を有する。ハンドル１０２がドッキング位置にあるときに、送信機からの磁界が戻り経路を介して送信機に戻る前に受信機を貫通するように、スタンド誘導充電コイル１６６（すなわち、送信機）及びハンドル誘導充電コイル１１２（すなわち、受信機）が磁気的に結合する。ハンドル誘導充電コイル１１２は、電源１１９に電気的に結合されるので、電源１１９は、この誘導充電過程を通して、ハンドル１０２がドッキング位置にある間に再充電することができる。
【００１９】
ハンドル誘導充電コイル１１２を貫通する他に、誘導充電中に生成される磁界はまた、潜在的に、ハンドル１０２内に位置付けられた他の構成要素を貫通し得る。加えて、迷走磁界が、導電材料（例えば、集積回路、印刷回路基板トレースなど）内にノイズを生じさせ、電磁干渉の問題を引き起こし得る。迷走磁界はまた、導電物体内に渦電流も引き起こし得、これは、熱を生成し、磁界の強さを低下させ得る。
【００２０】
誘導充電の種々の望ましくない副作用を軽減するために、第１のハンドル磁束案内部材１１４及び第１のスタンド磁束案内部材１６２を利用することができ、これらの例示的な構成は、図３に示される。第１のハンドル磁束案内部材１１４及び第１のスタンド磁束案内部材１６２の各々は、その環境内の磁界に影響を及ぼすことを可能にする磁気材料を含むことができる。フェライトなどの材料は、例えば、磁界に対する透磁性が空気よりも大きく、したがって、磁力線を集中させる。第１のハンドル磁束案内部材１１４及び第１のスタンド磁束案内部材１６２の戦略的な配置及び設計によって、誘導充電システムと関連付けられる磁界を集中させて形成することができ、よって、誘導充電システムの効率が改善され、かつハンドル１０２及びスタンド１５０の他の構成要素との望ましくない結合効果が低減される。更に、第１のハンドル磁束案内部材１１４及び第１のスタンド磁束案内部材１６２は、ハンドル誘導充電コイル１１２を貫通する磁界を生成し得る外部ソースからの磁束を遮蔽すること、又は別様に案内することができる。
【００２１】
いくつかの構成において、図３に示されるように、第１のスタンド磁束案内部材１６２は、スタンド１５０の内面１７２に直接接触することができ、第１のハンドル磁束案内部材１１４は、内側接触面１２６に直接接触することができる。磁束案内部材の形状及びスタイルは、変動させることができるが、例示される構成において、第１のハンドル磁束案内部材１１４及び第１のスタンド磁束案内部材１６２は、Ｕ字形状であり、各々が、ハンドル誘導充電コイル１１２及びスタンド誘導充電コイル１６６を少なくとも部分的に通ってそれぞれ延在する。示されるように、第１のハンドル磁束案内部材１１４及び第１のスタンド磁束案内部材１６２の各々は、脚部を有することができ、該脚部は、コイル１６６、１１２の各々の内面とそれぞれの磁束案内部材の外面との間隙が最小になるように、円筒形であり、かつそれぞれの充電コイルの内径よりもわずかに小さい外径を有する。第１のハンドル磁束案内部材１１４及びスタンド磁束案内部材１６２の各々は、Ｕ字形状であるように示されるが、本開示は、そのように限定されない。下でより詳細に説明されるように、第１のハンドル磁束案内部材１１４及びスタンド磁束案内部材１６２の構成、サイズ、形状、及び配設は、変動させることができる。
【００２２】
図３に示されるように、ハンドル充電モジュール１４６は、第１のドッキング磁石１１８及び第２のドッキング磁石１３２にごく近接して位置付けられ、これらは全て、第１の端部分１１０内に位置付けられる。同様に、スタンド充電モジュール１４８は、第１のドッキング磁石１５８及び第２のドッキング磁石１６０にごく近接して位置付けられる。第１のドッキング磁石１１８及び第２のドッキング磁石１３２、並びに第１のドッキング磁石１５８及び第２のドッキング磁石１６０の各々は、磁界を生成する。ハンドル充電モジュール１４６及びスタンド充電モジュール１４８にごく近接しているため、磁界は、潜在的に、それらのシステムの有効性に影響を与え得る。この影響を軽減するために、磁束案内部材を利用して、ドッキング磁石１１８、１３２、１５８、１６０のうちのいくつか又は全ての磁界を利用し、集中させることができる。
【００２３】
最初にハンドル１０２を参照すると、第２のハンドル磁束案内部材１２４は、第１のドッキング磁石１１８及び第２のドッキング磁石１３２に近接して位置付けられる。第２のハンドル磁束案内部材１２４は、第２のハンドル磁束案内部材１２４を通る磁界を方向付けることを支援するために、第１のドッキング磁石１１８及び第２のドッキング磁石１３２の各々の表面１８１、１８３（図５）とごく近接させることができる。いくつかの実施形態において、例えば、第２のハンドル磁束案内部材１２４は、第１のドッキング磁石１１８及び第２のドッキング磁石１３２の各々の表面１８１、１８３（図５）と直接接触する。他の実施形態において、例えば、第２のハンドル磁束案内部材１２４は、接着することなどを可能にするために、表面１８１、１８３から離間される。いくつかの実施形態において、第２のハンドル磁束案内部材１２４は、例えば、空隙を形成するために、又は製造許容度を考慮して、表面１８１、１８３から離間される。例示される配設において、第２のハンドル磁束案内部材１２４は、第１のドッキング磁石１１８の極から第２のドッキング磁石１３２の極まで磁界がルーティングされるように位置付けられる。第１のドッキング磁石１１８の極は、第２のドッキング磁石１３２の反対の極である。磁界の大部分を第２のハンドル磁束案内部材１２４を通して方向付けることによって、磁界がハンドル充電モジュール１４６又はスタンド充電モジュール１４８と干渉する可能性が低くなる。このように、第１のドッキング磁石１１８及び第２のドッキング磁石１３２は、そのようなドッキング磁石の磁界をハンドル誘導充電コイル１１２から離れて方向付けることができるので、ハンドル充電モジュール１４６にごく近接してハンドル１０２内に有益に位置付けることができる。加えて、第１のドッキング磁石１１８及び第２のドッキング磁石１３２の磁束を集めて集中させることによって、ハンドル１０２とスタンド１５０との間の磁気吸引を有益に増加させ、それによって、ドッキング強さを増加させることができる。
【００２４】
第２のハンドル磁束案内部材１２４は、磁束に対する透磁性がその周囲の空気よりも大きくなるように、フェリ磁性体又は強磁性体とすることができる。第２のハンドル磁束案内部材１２４のサイズ及び形状は、変動させることができる。いくつかの構成において、例示される実施例に示されるように、第２のハンドル磁束案内部材１２４は、矩形のバーとすることができる。しかしながら、第１のドッキング磁石１１８及び第２のドッキング磁石１３２の磁束を集中させ、方向付ける、様々な適切な形状のうちのいずれかを使用することができる。更に、例えば、磁束を一方のドッキング磁石１１８から他方のドッキング磁石１３２まで案内すること、又は、単一のドッキング磁石が利用されるときに、第２のハンドル磁束案内部材１２４が、磁界をハンドル誘導充電コイル１１２から離れてスタンド１５０の磁束案内部材に向かって方向付けること、のいずれかができる。単一のドッキング磁石だけを利用する実施形態において、第２のハンドル磁束案内部材１２４は、Ｌ字形状の断面を有することができる。
【００２５】
特定の実施形態において、ばね１２８などの付勢部材は、ハンドルドッキング磁石１１８、１３２をハンドル１０２の内側接触面１２６に押圧するように、付勢力を提供することができる。ドッキング磁石１１８、１３２を内側接触面１２６に対して押圧することによって、スタンドドッキング磁石１５８、１６０への吸引を最大にすることができる。類似のばねをスタンド１５０内に位置付けて付勢力を提供して、ドッキング磁石１５８、１６０をスタンド１５０の内面１７２に押圧することができる。他の構成において、ドッキング磁石１５８、１６０は、スタンド１５０のそれぞれのポケットの中へ押圧され、ホットスタンプによって固定される。
【００２６】
ここで、スタンド１５０を参照すると、第２のスタンド磁束案内部材１６４は、任意に、第１のドッキング磁石１５８及び第２のドッキング磁石１６０に近接して位置付けることができる。しかしながら、他の低プロファイルの構成では、スタンド１５０の全体の高さが、第２のスタンド磁束案内部材１６４を第１のドッキング磁石１５８及び第２のドッキング磁石１６０の下に適合させるという選択肢を制限する場合があるので、スタンド１５０は、第２のスタンド磁束案内部材１６４を利用しない場合がある。代替的に、スタンド１５０の低プロファイルのフォームファクタも可能にしながら、第１のドッキング磁石１５８及び第２のドッキング磁石１６０の磁束の少なくとも一部の管理を提供するために、比較的薄い第２のスタンド磁束案内部材１６４を使用して、第１のドッキング磁石１５８及び第２のドッキング磁石１６０の各々に接触することができる。
【００２７】
第２のスタンド磁束案内部材１６４は、第２のスタンド磁束案内部材１６４を通る磁界を方向付けることを支援するために、第１のドッキング磁石１５８及び第２のドッキング磁石１６０の各々の表面と直接接触させる、又は該表面に少なくともごく近接させることができる。このように、第１のドッキング磁石１５８及び第２のドッキング磁石１６０は、スタンド誘導充電コイル１６６を貫通するそのようなドッキング磁石からの磁束の量を制限することができるので、スタンド充電モジュール１４８にごく近接してスタンド１５０内に有益に位置付けることができる。第２のハンドル磁束案内部材１６４は、好ましくは、フェリ磁性体又は強磁性体などの高い透磁性を有する材料から作製することができる。第２のハンドル磁束案内部材１６４のサイズ及び形状は、変動させることができる。いくつかの構成において、第２のスタンド磁束案内部材１６４は、第２のハンドル磁束ガイド部材１２４に類似してサイズ決定及び成形され、かつ類似する材料から作製される。第２のスタンド磁束案内部材１６４は、ハンドル１０２がスタンド１５０にドッキングされたときに第２のハンドル磁束案内部材１２４の相補的部分と略整列される一部分を有するように成形することができる。他の構成において、これらの磁束案内部材は、スタンド１５０及びハンドル１０２のフォームファクタのため、必要に応じて異なる形状を有する。いずれにしても、第２のスタンド磁束案内部材１６４は、第１のドッキング磁石１５８及び第２のドッキング磁石１６０の磁界を集中させ、方向付けるように機能して、スタンド充電モジュール１４８に対する該磁石の干渉を制限することができる。
【００２８】
図４は、第１の端部分１１０内のハンドルドッキング磁石１１８、１３２及びハンドル誘導充電コイル１１２の例示的な相対位置の配置を示す、ハンドル１０２の等角部分切り欠き図である。図５は、例示を明瞭にするために種々の構成要素を取り除いた、ハンドル１０２のドッキング磁石１１８、１３２及びハンドル誘導充電コイル１１２の等角図である。例示される構成において、ドッキング磁石１１８、１３２は、外面接触領域１３８（図２）の内側接触面１２６に接触している。第１のドッキング磁石１１８は、磁石の２つの極を通過する極性軸１３０を画定する。同様に、第２のドッキング磁石１３２は、磁石の２つの極を通過する極性軸１３４を画定する。第１のドッキング磁石１１８の極性は、第２のドッキング磁石１３２の反対の極性とすることができる。第１のドッキング磁石１１８は、外面１３９を有し、第２のドッキング磁石１３２は、外面１３５を有する。図５に示される第１のドッキング磁石１１８及び第２のドッキング磁石１３２の高さは、実質的に類似しているが、本開示は、そのように限定されない。いくつかの実施形態において、第１のドッキング磁石１１８及び第２のドッキング磁石１３２の高さ（ｈ１）は、約２ｍｍ〜約４ｍｍとすることができる。より好ましくは、高さ（ｈ１）は、約３ｍｍである。ハンドル誘導充電コイル１１２は、外面１１５を有し、コイル軸１１３を画定する。ハンドル誘導充電コイル１１２は、約３．５ｍｍ〜約５．５ｍｍの高さ（ｈ２）を有することができる。より好ましくは、高さ（ｈ２）は、約４．３ｍｍである。いくつかの事例において、コイル軸１１３は、ハンドル誘導充電コイル１１２を通って延在する第１のハンドル磁束案内部材１１４の一部分（第１の脚部１１７として示される）と同軸である。下でより詳細に説明されるように、第１のハンドル磁束案内部材１１４はまた、第２の脚部１２５も含むことができる。図５に示されるように、コイル軸１１３は、ドッキング磁石１１８、１３２の極性軸１３０、１３４がコイル軸１１３に向かって傾けられるように、ドッキング磁石１１８、１３２の極性軸１３０、１３４に非平行とすることができる。このような配設は、ハンドルドッキングシステム１４７及びハンドル充電モジュール１４６を互いにごく近接して配置することを可能にし、一方で、丸みのあるプロファイルを有することができるハンドル１０２の第１の端部分１１０の内部空間に合致する。
【００２９】
図６は、スタンド１５０の等角図を表し、図７は、例示を明瞭にするために種々の構成要素を取り除いた、内部空洞１５２を示す、図６の部分切り欠き図を表す。図８は、例示を明瞭にするために種々の構成要素を取り除いた、ドッキング磁石１５８、１６０及びスタンド誘導充電コイル１６６の拡大図である。スタンド１５０は、ハンドル受容部分１９０を有する上面１７４（図６）を有する。上面１７４は、平面とする、丸みを付ける、傾ける、角度を付ける、多面とする、又は任意の他の適切な構成を有することができる。いくつかの構成において、ハンドル受容部分１９０はまた、底面１５６を含む外側接触面１７６を有する凹部１８８も画定することができる。代替的に、ハンドル受容部分１９０は、略平坦とすること、又は別の適切な配設を有することができる。凹部１８８は、ハンドル１０２がドッキング位置にあるときにハンドル１０２の第１の端部分１１０を受容するようにサイズ決定及び構成される。外面接触領域１３８（図２）は、ハンドル１０２のドッキング磁石１１８、１３２が、（図３に内面１７２として示される）底面１５６の下に位置付けられたスタンド１５０のドッキング磁石１５８、１６０と磁気的に相互作用するように、凹部１８８内で受容することができる。いくつかの構成において、ドッキング磁石１５８、１６０は、ハンドル１０２の関連するドッキング磁石間の距離を最小にして、磁気吸引力を増加させるように、底面１５６の下側と接触する。ドッキング磁石１５８、１６０は、図７に示されるように、それぞれ、磁石の極を通って延在するそれぞれの極性軸１４０、１４２を有することができる。ドッキング磁石１５８の極性は、ドッキング磁石１６０の極性と反対にすることができ、また、ハンドル１０２の相補的ドッキング磁石１３２及び１１８と磁気的に相互作用するように構成することができる。いくつかの構成において、ハンドル１０２がスタンド１５０にドッキングされたときに、極性軸１４０、１４２は、ハンドル１０２の極性軸１３０、１３４と略平行及び同一平面上になり得る。他の構成において、ハンドル１０２がスタンド１５０にドッキングされたときに、極性軸１４０、１４２は、ハンドル１０２の極性軸１３０、１３４と略非平行及び／又は非同一平面上になり得る。更に、極性軸１３０は、極性軸１３４に非平行とすることができ、極性軸１４０は、極性軸１４２に非平行とすることができる。図８に示されるように、第１のドッキング磁石１５８は、外面１５３を有し、第２のドッキング磁石１６０は、外面１３３を有する。図６に示される第１のドッキング磁石１５８及び第２のドッキング磁石１６０の高さは、実質的に類似しているが、本開示は、そのように限定されない。いくつかの実施形態において、第１のドッキング磁石１５８及び第２のドッキング磁石１６０の高さ（ｈ３）は、約３．５ｍｍ〜約６ｍｍとすることができる。より好ましくは、高さ（ｈ３）は、約４．６ｍｍである。スタンド誘導充電コイル１６６は、外面１４３有し、コイル軸１６７を画定する。スタンド誘導充電コイル１６６は、約５ｍｍ〜約９ｍｍの高さ（ｈ４）を有することができる。より好ましくは、高さ（ｈ４）は、約７．１ｍｍである。スタンド磁束案内部材１６２の一部分は、スタンド誘導充電コイル１６６を通って延在することができ、第１の脚部１６１として示される。下でより詳細に説明されるように、スタンド磁束案内部材１６２はまた、第２の脚部１６３も含むことができる。図７〜図８に示されるように、コイル軸１６７は、スタンドドッキング磁石１５８、１６０の極性軸１４０、１４２に非平行とすることができる。
【００３０】
図９は、ハンドル１０２の内側接触面１２６（図３）にごく近接して位置付けられた第１のドッキング磁石１１８及び第２のドッキング磁石１３２の端部を示す、ハンドル１０２の第１のドッキング磁石１１８及び第２のドッキング磁石１３２の端面図を図式的に表す。また、図９には、ハンドル誘導充電コイル１１２及び第１のハンドル磁束案内部材１１４の端面図も図式的に表され、図中、第１のハンドル磁束案内部材１１４の第１の脚部１１７は、ハンドル誘導充電コイル１１２内で受容され、第１のハンドル磁束案内部材１１４の第２の脚部１２５は、第１の脚部１１７から水平にオフセットされている。第２のハンドル磁束案内部材１２４（図５）による磁界の案内のため、第１のドッキング磁石１１８及び第２のドッキング磁石１３２の各々は、ハンドル誘導充電コイル１１２に近接して位置付けることができる。図９に図式的に表されるように、距離（ｄ１）は、第２のドッキング磁石１３２の外面１３５と第１のハンドル磁束案内部材１１４の第１の脚部１１７の外側面との間の最短距離として示される。距離（ｄ１）は、約１．５ｍｍ〜約５ｍｍの範囲とすることができる。より好ましくは、距離（ｄ１）は、約２．４ｍｍである。図９に示されるように、第１のドッキング磁石１１８の外面１３９と第１のハンドル磁束案内部材１１４の第１の脚部１１７の外側面との間の最短距離は、距離（ｄ２）として示される。距離（ｄ２）は、約３ｍｍ〜約７．６ｍｍの範囲とすることができる。より好ましくは、距離（ｄ２）は、約５．２ｍｍである。第２のドッキング磁石１３２の外面１３５と第１のドッキング磁石１１８の外面１３９との間の最短距離（ｄ３）は、約３．５ｍｍ〜約５．５ｍｍの範囲とすることができる。より好ましくは、距離（ｄ３）は、約４．３ｍｍである。第２のドッキング磁石１３２の外面１３５と第１のハンドル磁束案内部材１１４の第２の脚部１２５の外面との間の最短距離は、距離（ｄ４）として示される。距離（ｄ４）は、約５ｍｍ〜約８ｍｍの範囲とすることができる。より好ましくは、距離（ｄ４）は、約５．９ｍｍである。第１のドッキング磁石１１８及び第２のドッキング磁石１３２は、互いに対して、並びに／又は第１のハンドル磁束案内部材１１４の第１の脚部１１７及び第２の脚部１２５に対して傾けられ得るので、距離（ｄ１）、（ｄ２）、（ｄ３）、及び（ｄ４）は、測定されている２つの物体の外面の間の最短経路にわたって測定される。それぞれＤＩＡ１及びＤＩＡ２として示される第１のドッキング磁石１１８、第２のドッキング磁石１３２の直径は、約２．５ｍｍ〜約４ｍｍの範囲とすることができる。より好ましくは、直径ＤＩＡ１及びＤＩＡ２は、約３．２ｍｍである。ＤＩＡ３として示される第１のハンドル誘導充電コイル１１２の外径は、約５ｍｍ〜約８ｍｍの範囲とすることができる。より好ましくは、直径ＤＩＡ３は、約６．３ｍｍである。第１のハンドル誘導充電コイル１１２の内径は、約２．５ｍｍ〜約４．５ｍｍの範囲とすることができる。より好ましくは、第１のハンドル誘導充電コイル１１２の内径は、約３．２ｍｍである。第１の脚部１１７の外径は、第１のハンドル誘導充電コイル１１２の内径と同程度にすること、又は該内径よりもわずかに小さくすることができる。第２の脚部１２５の直径は、第１の脚部１１７の直径と同程度にすること、又は第１の脚部１１７の直径よりも大きく若しくは小さくすることができる。
【００３１】
図１０は、図３に示されるように、スタンド１５０の内面１７２にごく近接して位置付けられた第１のドッキング磁石１５８及び第２のドッキング磁石１６０の端部を示す、スタンド１５０の第１のドッキング磁石１５８及び第２のドッキング磁石１６０の端面図を図式的に表す。また、図１０には、図式的に、スタンド誘導充電コイル１６６及びスタンド磁束案内部材１６２の端面図も表され、図中、第１の脚部１６１は、スタンド誘導充電コイル１６６内で受容され、スタンド磁束案内部材１６２の第２の脚部１６３は、第１の脚部１６１から水平にオフセットされている。スタンド磁束案内部材１６４（図８）による磁界の案内のため、スタンド１５０の第１のドッキング磁石１５８及び第２のドッキング磁石１６０の各々は、スタンド誘導充電コイル１６６に近接して位置付けることができる。図１０に図式的に表されるように、距離（ｄ５）は、第２のドッキング磁石１６０の外面１３３とスタンド磁束案内部材１６２の第１の脚部１６１の外側面との間の最短距離として示される。距離（ｄ５）は、約１．５ｍｍ〜約５ｍｍの範囲とすることができる。より好ましくは、距離（ｄ５）は、約２．２ｍｍである。図１０に示されるように、第１のドッキング磁石１５８の外面１５３とスタンド磁束案内部材１６２の第１の脚部１６１の外側面との間の最短距離は、距離（ｄ６）として示される。距離（ｄ６）は、約３ｍｍ〜約６ｍｍの範囲とすることができる。より好ましくは、距離（ｄ６）は、約５．０ｍｍである。第２のドッキング磁石１６０の外面１３３と第１のドッキング磁石１５８の外面１５３との間の最短距離（ｄ７）は、約２ｍｍ〜約４ｍｍの範囲とすることができる。より好ましくは、距離（ｄ７）は、約２．７ｍｍである。第２のドッキング磁石１６０の外面１３３とスタンド磁束案内部材１６２の第２の脚部１６３の外面との間の最短距離は、距離（ｄ８）として示される。距離（ｄ８）は、約５ｍｍ〜約８ｍｍの範囲とすることができる。より好ましくは、距離（ｄ８）は、約６．２ｍｍである。第１のドッキング磁石１５８及び第２のドッキング磁石１６０は、互いに対して、並びに／又はスタンド磁束案内部材１６２の第１の脚部１６１及び第２の脚部１６３に対して傾けられ得るので、距離（ｄ５）、（ｄ６）、（ｄ７）、及び（ｄ８）は、測定されている２つの物体の外面の間の最短経路にわたって測定される。それぞれＤＩＡ４及びＤＩＡ５として示される第１のドッキング磁石１５８、第２のドッキング磁石１６０の直径は、約３．５ｍｍ〜約６ｍｍの範囲とすることができる。より好ましくは、直径ＤＩＡ４及びＤＩＡ５は、約４．８ｍｍである。ＤＩＡ６として示されるスタンド誘導充電コイル１６６の外径は、約３ｍｍ〜約９ｍｍの範囲とすることができる。より好ましくは、直径ＤＩＡ６は、約７．１ｍｍである。スタンド誘導充電コイル１６６の内径は、約３ｍｍ〜約６ｍｍの範囲とすることができる。より好ましくは、スタンド誘導充電コイル１６６の内径は、４．２ｍｍである。第１の脚部１６１の一部分の外径は、第１のハンドル誘導充電コイル１１２の内径と同程度にすること、又は該内径よりもわずかに小さくすることができる。第２の脚部１６３の直径は、第１の脚部１６１の直径と同程度にすること、又は第１の脚部１６１の直径よりも大きく若しくは小さくすることができる。
【００３２】
ここで、図１１を参照すると、図１に示されるようにハンドル１０２がスタンド１５０にドッキングされたときの、スタンド充電モジュール１４８に対するハンドルドッキングシステム１４７の例示的な相対位置が表されている。示されるように、ハンドル誘導充電コイル１１２によって画定されたコイル軸１１３は、スタンド誘導充電コイル１６６によって画定されたコイル軸１６７と略軸方向に整列させることができる。第１のハンドル磁束案内部材１１４は、ハンドル誘導充電コイル１１２を通って延在する第１の脚部１１７と、ハンドル誘導充電コイル１１２の外側に延在する別の一部分と、を有するように示される。例示される実施形態において、ヨーク１２７及び第２の脚部１２５は、ハンドル誘導充電コイル１１２の外側に延在し、第２の脚部１２５は、第１の脚部１１７と略平行である。同様に、第１のスタンド磁束案内部材１６２は、スタンド誘導充電コイル１６６を通って延在する第１の脚部１６１と、スタンド誘導充電コイル１６６の外側に延在する別の一部分と、を有するように示される。例示される実施形態において、ヨーク１６９及び第２の脚部１６３は、スタンド誘導充電コイル１６６の外側に延在し、第２の脚部１６３は、第１の脚部１６１と略平行である。第１のハンドル磁束案内部材１１４の第１の脚部１１７は、ハンドル１０２がスタンド１５０にドッキングされたときに、第１のスタンド磁束案内部材１６２の第１の脚部１６１と略軸方向に整列させることができる。
【００３３】
第１のハンドル磁束案内部材１１４は、第１の脚部１１７と、第２の脚部１２５と、ヨーク１２７と、を有するように示され、第１のスタンド磁束案内部材１６２は、第１の脚部１６１と、第２の脚部１６３と、ヨーク１６９と、を有するように示されるが、本開示は、限定されない。実際は、第１のハンドル磁束案内部材１１４及び第１のスタンド磁束案内部材１６２の各々は、本開示の範囲から逸脱することなく、任意の数の構成を有することができる。非限定的な実施例として、図１２〜図１３は、他の例示的な第１のハンドル磁束案内部材１１４及び第１のスタンド磁束案内部材１６２を表す。図１２は、それぞれがＥ字形状の断面を有する、第１のハンドル磁束案内部材２１４及び第１のスタンド磁束案内部材２６２を表す。図１３は、Ｌ字形状の断面を有する、第１のハンドル磁束案内部材３１４及び第１のスタンド磁束案内部材３６２を表す。図１２〜図１３に示されるように、第１のハンドル磁束案内部材２１４、３１４及び第１のスタンド磁束案内部材２６２、３６２の各々は、それぞれ、ハンドル誘導充電コイル１１２及びスタンド誘導充電コイル１６６を通って延在する一部分を有する。
【００３４】
充電モジュール１４６、１４８及び／又はドッキングシステム１４７、１４９の種々の態様は、比較的狭い空間における内部配置を支援するように物理的に構成することができる。例えば、図１４は、充電動作中にハンドル誘導充電コイル１１２によって生成される磁束を集中させるように構成された、第１のハンドル磁束案内部材４１４の別の例示的な実施形態を表す。この実施形態において、第１の脚部４１７及び第２の脚部４２５の各々は、第１のハンドル磁束案内部材４１４をハンドル１０２の内部に収容することができるように構成された、角度付き端面４２０を有する。より具体的には、脚部４１７、４２５は、脚部４１７、４２５と内側接触面１２６との間隙が低減又は除去されるように、ハンドル１０２の内側接触面１２６（図３）にごく近接して位置付けることができる。角度付き端面４２０の配設は、変動させることができる。例えば、角度付き端面４２０は、図１４に示されるように、第１のハンドル磁束案内部材４１４の端部全体にわたって斜面を形成することができ、又は他の構成において、面取りのために第１のハンドル磁束案内部材４１４の端部の一部分だけを角度付きとすることができる。いくつかの構成において、角度付き端面４２０は、内側接触面１２６に直接接触する。更に、第１のスタンド磁束案内部材１６２はまた、スタンド１５０内のスタンド充電モジュール１４８の所望の配置を提供するために、角度付き端面４２０に類似する斜面を有することもできる。いくつかの構成において、ドッキング磁石１１８、１３２、１５８、１６０のうちの１つ以上は、磁石をハンドル１０２又はスタンド１５０の種々の内面にごく近接させるのを支援するために、角度付き端面を有する。
【００３５】
本開示の更なる非限定的な説明
以下のパラグラフは、後に所望される場合に特許請求の範囲に添付するのに適した形態で、本開示の更なる非限定的な説明を構成する。
Ａ．パーソナルケア製品システムであって、
スタンド（１５０）と、
スタンド（１５０）内に位置付けられた第１のスタンド永久ドッキング磁石（１５８）と、
スタンド（１５０）内に位置付けられたスタンド誘導充電コイル（１６６）と、
スタンド（１５０）に着脱可能に装着されたハンドル（１０２）と、
ハンドル（１０２）内に位置付けられた充電式電池（１１９）と、
ハンドル（１０２）内に位置付けられ、第１のスタンド永久ドッキング磁石（１５８）に近接して配置されたときに、ハンドル（１０２）をスタンド（１５０）に保持するのに十分な吸引力を生成するように構成された、第１のハンドル永久ドッキング磁石（１１８）と、
ハンドル（１０２）内に位置付けられたハンドル誘導充電コイル（１１２）であって、スタンド誘導充電コイル（１６６）が、磁界を生成するように構成され、該磁界が、ハンドル誘導充電コイル（１１２）を貫通して、充電式電池（１１９）を充電する、ハンドル誘導充電コイル（１１２）と、
第１のハンドル永久ドッキング磁石（１１８）の表面（１８１）にごく近接したハンドル磁束案内部材（１２４）と、を備える、パーソナルケア製品システム。
Ｂ．ハンドル（１０２）内に位置付けられた第２のハンドル永久ドッキング磁石（１３２）を更に備え、ハンドル磁束案内部材（１２４）が、第１のハンドル永久ドッキング磁石（１１８）と第２のハンドル永久ドッキング磁石（１３２）とを接続する、パラグラフＡに記載のパーソナルケア製品システム。
Ｃ．スタンド（１５０）内に位置付けられた第２のスタンド永久ドッキング磁石（１６０）と、スタンド磁束案内部材（１６４）と、を更に備え、スタンド磁束案内部材（１６４）が、第１のスタンド永久ドッキング磁石（１５８）と第２のスタンド永久ドッキング磁石（１６０）とを接続する、パラグラフＡ又はＢに記載のパーソナルケア製品システム。
Ｄ．スタンド誘導充電コイル（１６６）内に位置付けられた第１の脚部（１６１）を有するスタンド磁束案内部材（１６２、２６２、３６２）を更に備え、第１のスタンド永久ドッキング磁石（１５８）の外面（１５３）及び第１の脚部（１６１）の外側面が、互いの７ｍｍ（ｄ８）以内に位置付けられる、パラグラフＡ〜Ｃのいずれか１つに記載のパーソナルケア製品システム。
Ｅ．ハンドル誘導充電コイル（１１２）内に位置付けられた第１の脚部（１１７）を有するハンドル磁束案内部材（１１４、２１４、３１４、４１４）を更に備え、第１のハンドル永久ドッキング磁石（１１８）の外面（１３９）及び第１の脚部（１１７）の外側面が、互いの６ｍｍ（ｄ２）以内に位置付けられる、パラグラフＡ〜Ｄのいずれか１つに記載のパーソナルケア製品システム。
Ｆ．第２のハンドル永久ドッキング磁石（１３２）の外面（１３５）及び第１の脚部（１１７）の外側面が、互いの３ｍｍ（ｄ１）以内に位置付けられる、パラグラフＢに記載のパーソナルケア製品システム。
Ｇ．第２のスタンド永久ドッキング磁石（１６０）の外面（１６０）及び第１の脚部（１６１）の外側面が、互いの３ｍｍ（ｄ５）以内に位置付けられる、パラグラフＣに記載のパーソナルケア製品システム。
Ｈ．ハンドル磁束案内部材（１２４）が、Ｌ字形状の断面を有する、パラグラフＡ〜Ｇのいずれか１つに記載のパーソナルケア製品システム。
Ｉ．ハンドル（１０２）が、外側接触面（１３８）と、対向する内面（１２６）と、を有し、スタンド（１５０）が、外側接触面（１７６）と、対向する内面（１７２）と、を有し、ハンドル（１０２）がスタンド（１５０）に保持されているときに、スタンド（１５０）の外側接触面（１７６）とハンドル（１０２）の外側接触面（１３８）とが直接接触している、パラグラフＡ〜Ｈのいずれか１つに記載のパーソナルケア製品システム。
Ｊ．第１のハンドル永久ドッキング磁石（１１８）が、ハンドル（１０２）の内面（１２６）に直接接触し、第１のスタンド永久ドッキング磁石（１５８）が、スタンド（１５０）の内面（１７２）に直接接触する、パラグラフＩに記載のパーソナルケア製品システム。
Ｋ．第１のスタンド永久ドッキング磁石（１５８）が、ハンドル（１０２）の内面（１２６）に直接接触する角度付き端部面を有する、パラグラフＪに記載のパーソナルケア製品システム。
Ｌ．第１のスタンド永久ドッキング磁石（１５８）が、スタンド（１５０）の内面（１７２）に直接接触する角度付き端部面を有する、パラグラフＪ又はＫに記載のパーソナルケア製品システム。
Ｍ．ハンドル（１０２）が、第１のハンドル永久ドッキング磁石（１１８）をハンドル９１０２）の内面（１２６）に押し付けるばね部材（１２８）を有する、パラグラフＩ〜Ｌのいずれか１つに記載のパーソナルケア製品システム。
Ｎ．ハンドル誘導充電コイル（１１２）が、スタンド誘導充電コイル（１６６）の中心軸と略軸方向に整列された中心軸を有する、パラグラフＡ〜Ｍのいずれか１つに記載のパーソナルケア製品システム。
Ｏ．ハンドル磁束案内部材（１２４）が、バーである、パラグラフＡ〜Ｎのいずれか１つに記載のパーソナルケア製品システム。
Ｐ．パーソナルケア製品システムであって、
スタンド（１５０）と、
スタンド（１５０）内に位置付けられた第１のスタンド永久ドッキング磁石（１５８）と、
スタンド（１５０）内に位置付けられたスタンド誘導充電コイル（１６６）と、
スタンド（１５０）に着脱可能に装着されたハンドル（１０２）と、
ハンドル（１０２）内に位置付けられた充電式電池（１１９）と、
ハンドル（１０２）内に位置付けられ、第１のスタンド永久ドッキング磁石（１５８）に近接して配置されたときに、ハンドル（１０２）をスタンド（１５０）に保持するのに十分な吸引力を生成するように構成された、第１のハンドル永久ドッキング磁石（１１８）と、
ハンドル（１０２）内に位置付けられたハンドル誘導充電コイル（１１２）であって、ハンドル誘導充電コイル（１１２）に近接して配置されたときに、スタンド誘導充電コイル（１６６）が、磁界を生成するように構成され、該磁界が、ハンドル誘導充電コイル（１１２）を貫通して、充電式電池（１１９）を充電する、ハンドル誘導充電コイル（１１２）と、
ハンドル誘導充電コイル（１１２）内に位置付けられた少なくとも一部分を有するハンドル磁束案内部材（１１４、２１４、３１４、４１４）と、
スタンド誘導充電コイル（１６６）内に位置付けられた少なくとも一部分を有するスタンド磁束案内部材（１６２、２６２、３６２）と、を備える、パーソナルケア製品システム。
Ｑ．
第１のスタンド永久ドッキング磁石（１５８）の外面（１５３）及びスタンド誘導充電コイル（１６６）内に位置付けられた一部分の外側面が、互いの７ｍｍ（ｄ８）以内に位置付けられ、
第１のハンドル永久ドッキング磁石（１１８）の外面（１３９）及びハンドル誘導充電コイル（１１２）内に位置付けられた一部分の外側面が、互いの６ｍｍ（ｄ２）以内に位置付けられる、パラグラフＰに記載のパーソナルケア製品システム。
Ｒ．
ハンドル磁束案内部材（１１４、２１４、３１４、４１４）の少なくとも別の一部分が、ハンドル誘導充電コイル（１１２）の外部に延在し、
スタンド磁束案内部材（１６２、２６２、３６２）の少なくとも別の一部分が、スタンド誘導充電コイル（１６６）の外部に延在する、パラグラフＰ〜Ｑのいずれか１つに記載のパーソナルケア製品システム。
Ｓ．ハンドル誘導充電コイル（１１２）内に位置付けられたハンドル磁束案内部材（１１４、２１４、３１４、４１４）の一部分が、スタンド誘導充電コイル（１６６）内に位置付けられたスタンド磁束案内部材（１６２、２６２、３６２）の一部分と略軸方向に整列される、パラグラフＰ〜Ｒのいずれか１つに記載のパーソナルケア製品システム。
Ｔ．ハンドルがスタンド（１５０）に保持されているときに、ハンドル誘導充電コイル（１１２）が、スタンド誘導充電コイル（１６６）の中心軸と略軸方向に整列される中心軸を有する、パラグラフＰ〜Ｓのいずれか１つに記載のパーソナルケア製品システム。
Ｕ．ハンドル（１０２）がスタンド（１５０）に保持されているときに、第１のハンドル永久ドッキング磁石（１１８）の中心軸が、第１のスタンド永久ドッキング磁石（１５８）の中心軸と軸方向に整列される、パラグラフＰ〜Ｔのいずれか１つに記載のパーソナルケア製品システム。
Ｖ．スタンド磁束案内部材（１６２、２６２、３６２）が、Ｕ字形状の断面又はＥ字形状の断面を有する、パラグラフＰ〜Ｕのいずれか１つに記載のパーソナルケア製品システム。
Ｗ．ハンドル磁束案内部材（１１４、２１４、３１４、４１４）が、Ｕ字形状の断面又はＥ字形状の断面を有する、パラグラフＰ〜Ｖのいずれか１つに記載のパーソナルケア製品システム。
Ｘ．ハンドル磁束案内部材（１１４、２１４、３１４、４１４）及びスタンド磁束案内部材（１６２、２６２、３６２）のどちらか又は両方が、フェリ磁性体又は強磁性体を含む、パラグラフＰ〜Ｗのいずれか１つに記載のパーソナルケア製品システム。
Ｙ．ハンドル（１０２）が、外側接触面（１３８）と、対向する内面（１２６）と、を有し、スタンド（１５０）が、外側接触面（１７６）と、対向する内面（１７２）と、を有し、ハンドル（１０２）がスタンド（１５０）に保持されているときに、スタンドの外側接触面（１７６）とハンドル（１０２）の外側接触面（１３８）とが直接接触している、パラグラフＰ〜Ｘのいずれか１つに記載のパーソナルケア製品システム。
Ｚ．ハンドル磁束案内部材（１１４、２１４、３１４、４１４）が、ハンドル（１０２）の内面（１２６）に直接接触し、スタンド磁束案内部材（１６２、２６２、３６２）が、スタンド（１５０）の内面（１７２）に直接接触する、パラグラフＹに記載のパーソナルケア製品システム。
ＡＡ．ハンドル磁束案内部材（１１４、２１４、３１４、４１４）が、ハンドル（１０２）の内面（１２６）に直接接触する角度付き端部面（４２０）を有する脚部（１１７、１２５、４１７、４２５）を有する、パラグラフＹ又はＺに記載のパーソナルケア製品システム。
ＢＢ．スタンド磁束案内部材（１６２、２６２、３６２）が、スタンド（１５０）の内面（１７２）に直接接触する角度付き端部面（４２０）を有する脚部を有する、パラグラフＹ〜ＡＡのいずれか１つに記載のパーソナルケア製品システム。
ＣＣ．ハンドル（１０２）が、第１のハンドル永久ドッキング磁石（１１８）をハンドル（１０２）の内面（１２６）に押し付けるばね部材（１２８）を有する、パラグラフＹ〜ＢＢのいずれか１つに記載のパーソナルケア製品システム。
ＤＤ．パーソナルケア製品システムであって、
スタンド（１５０）と、
スタンド（１５０）内に位置付けられた第１のスタンド永久ドッキング磁石（１５８）と、
スタンド（１５０）内に位置付けられたスタンド誘導充電コイル（１６６）と、
スタンド（１５０）に着脱可能に装着されたハンドル（１０２）と、
ハンドル（１０２）内に位置付けられた充電式電池（１１９）と、
ハンドル（１０２）内に位置付けられ、第１のスタンド永久ドッキング磁石（１５８）に近接して配置されたときに、ハンドル（１０２）をスタンド（１５０）に保持するのに十分な吸引力を生成するように構成された、第１のハンドル永久ドッキング磁石（１１８）と、
ハンドル（１０２）内に位置付けられたハンドル誘導充電コイル（１１２）であって、スタンド誘導充電コイル（１６６）が、磁界を生成するように構成され、該磁界が、ハンドル誘導充電コイル（１１２）を貫通して、充電式電池（１１９）を充電する、ハンドル誘導充電コイル（１１２）と、
ハンドル誘導充電コイル（１１２）内に位置付けられた少なくとも一部分を有する第１のハンドル磁束案内部材（１１４、２１４、３１４、４１４）と、
第１のハンドル永久ドッキング磁石（１１８）の表面（１８１）にごく近接した第２のハンドル磁束案内部材（１２４）と、
スタンド誘導充電コイル（１６６）内に位置付けられた少なくとも一部分を有する第１のスタンド磁束案内部材（１６２、２６２、３６２）と、を備える、パーソナルケア製品システム。
ＥＥ．
第１のスタンド永久ドッキング磁石（１５８）の外面（１５３）及びスタンド誘導充電コイル（１６６）内に位置付けられた一部分の外側面が、互いの７ｍｍ（ｄ８）以内に位置付けられ、
第１のハンドル永久ドッキング磁石（１１８）の外面（１３９）及びハンドル誘導充電コイル（１１２）内に位置付けられた一部分の外側面が、互いの６ｍｍ（ｄ２）以内に位置付けられる、パラグラフＤＤに記載のパーソナルケア製品システム。
ＦＦ．
第１のハンドル磁束案内部材（１１４、２１４、３１４、４１４）の少なくとも別の一部分が、ハンドル誘導充電コイル（１１２）の外部に延在し、
第１のスタンド磁束案内部材（１６２、２６２、３６２）の少なくとも別の一部分が、スタンド誘導充電コイル（１６６）の外部に延在する、パラグラフＤＤ〜ＥＥのいずれか１つに記載のパーソナルケア製品システム。
ＧＧ．ハンドル（１０２）がスタンド（１５０）に保持されているときに、ハンドル誘導充電コイル（１１２）内に位置付けられた第１のハンドル磁束案内部材（１１４、２１４、３１４、４１４）の一部分が、スタンド誘導充電コイル（１６６）内に位置付けられた第１のスタンド磁束案内部材（１６２、２６２、３６２）の一部分と略軸方向に整列される、パラグラフＤＤ〜ＦＦのいずれか１つに記載のパーソナルケア製品システム。
ＨＨ．ハンドル（１０２）がスタンド（１５０）に保持されているときに、ハンドル誘導充電コイル（１１２）が、スタンド誘導充電コイル（１６６）の中心軸と略軸方向に整列される中心軸を有する、パラグラフＤＤ〜ＧＧのいずれか１つに記載のパーソナルケア製品システム。
ＩＩ．第１のスタンド永久ドッキング磁石（１５８）の表面にごく近接した第２のスタンド磁束案内部材（１６４）を更に備える、パラグラフＤＤ〜ＨＨのいずれか１つに記載のパーソナルケア製品システム。
ＪＪ．ハンドル（１０２）がスタンド（１５０）に保持されているときに、第２のハンドル磁束案内部材（１２４）が、第２のスタンド磁束案内部材（１６４）と略平行である、パラグラフＩＩに記載のパーソナルケア製品システム。
ＫＫ．スタンド（１５０）の第１の磁束案内部材（１６２、２６２、３６２）が、Ｕ字形状の断面又はＥ字形状の断面を有し、ハンドル（１１４、２１４、３１４、４１４）の第１の磁束案内部材が、Ｕ字形状の断面又はＥ字形状の断面を有する、パラグラフＤＤ〜ＪＪのいずれか１つに記載のパーソナルケア製品システム。
ＬＬ．第２のハンドル磁束案内部材（１２４）が、バー形状である、パラグラフＤＤ〜ＫＫのいずれか１つに記載のパーソナルケア製品システム。
ＭＭ．ハンドルの第１及び第２のハンドル磁束案内部材（１１４、１２４）及び第１のスタンド磁束案内部材（１６２、２６２、３６２）のうちの１つ以上が、フェリ磁性体又は強磁性体を含む、パラグラフＤＤ〜ＬＬのいずれか１つに記載のパーソナルケア製品システム。
ＮＮ．ハンドル（１０２）内に位置付けられた第２のハンドル永久ドッキング磁石（１３２）を更に備え、第２のハンドル磁束案内部材（１２４）が、第１のハンドル永久ドッキング磁石（１１８）と第２のハンドル永久ドッキング磁石（１３２）とを接続する、パラグラフＤＤ〜ＭＭのいずれか１つに記載のパーソナルケア製品システム。
ＯＯ．スタンド（１５０）内に位置付けられた第２のスタンド永久ドッキング磁石（１６０）を更に備える、パラグラフＤＤ〜ＮＮのいずれか１つに記載のパーソナルケア製品システム。
ＰＰ．ハンドル（１０２）が、外側接触面（１３８）と、対向する内面（１２６）と、を有し、スタンド（１５０）が、外側接触面（１７６）と、対向する内面（１７２）と、を有し、ハンドル（１０２）がスタンド（１５０）に保持されているときに、スタンド（１５０）の外側接触面（１７６）とハンドル（１０２）の外側接触面（１３８）とが直接接触している、パラグラフＤＤ〜ＯＯのいずれか１つに記載のパーソナルケア製品システム。
ＱＱ．第１のハンドル磁束案内部材（１１４、２１４、３１４、４１４）が、ハンドル（１０２）の内面（１２６）に直接接触し、第１のスタンド磁束案内部材（１６２、２６２、３６２）が、スタンド（１５０）の内面（１７２）に直接接触する、パラグラフＰＰに記載のパーソナルケア製品システム。
ＲＲ．ハンドル（１０２）が、第１のハンドル永久ドッキング磁石（１１８）をハンドル（１０２）の内面（１２６）に押し付けるばね部材（１２４）を有する、パラグラフＰＰ又はＱＱに記載のパーソナルケア製品システム。
【００３６】
本明細書に開示されている寸法及び／又は値は、列挙した正確な数値寸法及び／又は値に厳しく制限されるものとして理解すべきではない。むしろ、別段の指定のない限り、このような各寸法及び／又は値は、列挙した寸法及び／若しくは値、並びに／又はその寸法及び／若しくは値の近辺の機能的に同等の範囲の両方を意味することを意図している。例えば、「４０ｍｍ」として開示される寸法は、「約４０ｍｍ」を意味するものとする。
【図１】
0006823199.tif 000002
【図２】
0006823199.tif 000003
【図３】
0006823199.tif 000004
【図４】
0006823199.tif 000005
【図５】
0006823199.tif 000006
【図６】
0006823199.tif 000007
【図７】
0006823199.tif 000008
【図８】
0006823199.tif 000009
【図９】
0006823199.tif 000010
【図１０】
0006823199.tif 000011
【図１１】
0006823199.tif 000012
【図１２】
0006823199.tif 000013
【図１３】
0006823199.tif 000014
【図１４】
0006823199.tif 000015